(57)【要約】      （修正有）【課題】サイズの調節が可能で、大小の頭に密着できるとともに、顔や目、鼻や耳にかかる水を完全に防ぎ、襟足まで頭全体を洗うことを可能とするとともに、目を開けて取れなかったシャンプー剤等も取ることができる洗髪用補助具を提供する。【解決手段】鉢巻き状のターバンの一側面に、折曲げ可能に透明なフード２を襟足の所まで届くように取付け、ターバンの中を挿通したベルト４は頭部を一周して、該ベルト端部に設けられた結合具により長さが調節可能にベルトの両端が連結され、環が形成できるように構成されているとともに、ターバンが額に接する部分にシート状の吸着体３が設けられ、耳に接する部分に耳カバー６が設けられている洗髪用補助具である。【選択図】図３
0003118539.tif 000002
【実用新案登録請求の範囲】
【請求項１】
鉢巻き状のターバンの一側面に、折曲げ可能に、透明なフードを襟足の所まで届くよう取付け、ターバンの中を挿通したベルトは頭部を一周して、該ベルト端部に設けられた結合具により長さが調節可能にベルトの両端が連結され、環が形成できるよう構成されている洗髪用補助具であって、鉢巻き状のターバンが左右の耳に接する部分にそれぞれ耳カバーが設けられていることを特徴とする洗髪用補助具。
【請求項２】
前記耳カバーの一辺にゴム組を挿通し、該ゴム組の両端は鉢巻き状のターバンの側面にそれぞれ連結されていることを特徴とする請求項１記載の洗髪用補助具。
【請求項３】
鉢巻き状のターバンが額に接する部分に吸着体が設けられていることを特徴とする請求項１又は２記載の洗髪用補助具。
【考案の詳細な説明】
【技術分野】
【０００１】  本考案は、洗髪や毛染の時、石けん水や汚水等で顔が濡れることを防ぐための洗髪用補助具に関する。
【背景技術】
【０００２】  浴槽につかりながら、顔には水がかからず、浴槽内に汚水が入らないようにしながら洗髪することを可能にする洗髪バイザーとして、本体バイザーの前頭部に取付けられたツバもしくはひさしが顔面と頭部の２ヶ所で水を遮り、伸縮、吸収、防水の素材が額に密着し防水効果をはたし、覆いを用いることで浴槽内を汚さず洗髪が可能となるシャンプーバイザーが開示されている（特許文献１参照。）。【０００３】  また、円形の枠体と、該枠体より小径かつ同心円状に設けた伸縮自在なゴム組条との間に耐水性シートを張設したことを特徴とする洗髪用キャップが提案されている（特許文献２参照。）。【０００４】  その他、帽子状のシャンプーハット等も種々考案されている（特許文献３，４，５参照。）。【０００５】  鉢巻き状のターバンの一側面に、折曲げ可能に、透明なフードを襟足の所まで届くよう取付け、ターバンの中を挿通したベルトは頭部を一周して該ベルト端部に設けられた結合具により長さが調節可能なベルトの両端が連結され、環が形成できるよう構成されていることを特徴とする洗髪用補助具が考案されている（特許文献６参照。）。【０００６】  特許文献１に記載されたシャンプーバイザーは、環状ベルトが伸縮・吸収・防水効果のある素材を用い、顔面への水流を外に排出するとあり、一部がゴム等の伸縮自在の素材を用いている。しかし、何回も濡れた状態で引張るとゴム等の弾性が失われてゆくおそれがあり、長く使用できない欠点があった。
また、環状ベルトの上縁に水がたまりやすく、環状ベルトと頭髪の隙間から水が顔面に入り込むおそれがあった。【０００７】  その他、円形の洗髪用キャップの場合（特許文献２）では、襟足の洗髪が困難であり、また、洗髪用帽子（特許文献３）では、クッション材と頭髪の間に水がたまりやすい欠点があり、シャンプーハット（特許文献４）では、頭部に嵌着する取付孔を囲む環状本体は合成樹脂発泡シートの打抜き成形体であるため、頭部の形状に変化があれば十分にフィットし難く、十分に効果が発揮できないおそれがある。また、洗髪用補助具（特許文献５）も伸縮性のあるゴムを使用しているため、ゴムが劣化すれば使用できなくなるおそれがある。【０００８】  洗髪用補助具（特許文献６）は，上記特許文献１〜５の欠点を除くために考案されたものであるが、顔や眼には水がかからないよう効果があげられたが、耳に水が入るおそれがあるという欠点が見出された。【０００９】
【特許文献１】特開２００１−３５３０１９号公報
【特許文献２】実開昭６１−１９４４０３号公報
【特許文献３】実開昭５８−１５７４０４号公報
【特許文献４】実開昭６２−２７５０２号公報
【特許文献５】実開平６−３６５０４号公報
【特許文献６】実用新案登録３１１００８４号公報
【考案の開示】
【考案が解決しようとする課題】
【００１０】  本考案が解決しようとする課題は、サイズの調節が可能で、大小の頭に密着できるとともに、顔にかかる水及び耳に入ろうとする水を完全に防止し、しかも長年使用しても容易に劣化して機能が低下し難い洗髪用補助具を提供することである。
【課題を解決するための手段】
【００１１】  （１）本考案の第一は、鉢巻き状のターバンの一側面に、折曲可能に、透明なフードを襟足の所まで届くよう取付け、ターバンの中を挿通したベルトは頭部を一周して、該ベルト端部に設けられた結合具により長さが調節可能にベルトの両端が連結され、環が形成できるよう構成されている洗髪用補助具であって、鉢巻き状のターバンが耳に接する部分にそれぞれ耳カバーが設けられていることを特徴とする洗髪用補助具である。
透明なフードは、プラスチック等耐水性又は防水性であって柔軟な素材を用いることが望ましい。【００１２】  （２）本考案の第二は、前記耳カバーは、その一辺にゴム組を挿通し、ゴム組の両端は鉢巻き状のターバンの側面にそれぞれ連結されていることを特徴とする前項（１）記載の洗髪用補助具である。ゴム組と鉢巻き状ターバンの間に耳たぶを入れ、その上を耳カバーが覆うようにして、水が耳の中に入らないようにした。【００１３】  （３）本考案の第三は、鉢巻き状のターバンが額に接する部分に吸着体が設けられていることを特徴とする前項（１）又は（２）記載の洗髪用補助具である。
フードを折曲げて外に出し、吸着体でターバンを額に密着するようにするとともに、バンドの両端を結合具で締めることで水が漏れて顔が濡れることを防ぎ、さらに、洗髪用補助具が洗髪中、下にずれないようにした。
【考案の効果】
【００１４】  本考案は、顔や目を保護するため、透明なフードを使用し、前がよく見え、シャンプー等が手探りでなく、目を開いたまま取ることができる。
また、透明なフードがターバンの上で折曲げられて装着することでターバン自身はほとんど水等に濡れることがなく、長年使用しても劣化することは少ない。
また、洗髪水や石けん水はフードの外側をスムーズに流れ落ち、ターバンの上縁にたまることはない。フードは襟足までついていて、汚水等は前側に流れ難くなっていて、顔や目に汚水が入ることはない。
さらに耳カバーを設けたので、耳に水が入ることも完全に防止できる。【００１５】  シャンプー嫌いの子供や老人等にも楽しく洗髪ができる。また、従来不十分だった襟足の洗髪も快適にできるようになり、頭をあまり下げないで普通の姿勢で洗髪ができるようになり、身体障害者等でも楽に洗髪ができる。
サイズ調節もベルトで簡単にできるから、子供、大人、女性に限らず男性から老人まで使用可能である。
【考案を実施するための最良の形態】
【００１６】  本考案の洗髪用補助具は、鉢巻き状のターバンの一側面に、透明のフードが顔のほぼ全体を覆い、襟足の所まで覆っている。フードは透明で柔軟性のプラスチックで作られ、前が良く見え、シャンプー剤等を取りやすくし、襟足部分もフィットさせて使用することで前側に汚水を流れにくくする効果がある。【００１７】  鉢巻き状のターバンは布製とし、例えば綿製のベルトを中に通し、ベルトはターバンの中を一周して一端にバックルをつけてサイズを調節する。
綿製のベルトを用いると、水分を含んでも伸びることがなく、ゆるむことなく止めることが可能である。
装着時は、ターバンの上でフードを折曲げ、吸着具が額にあたるようにし、フードが外側に曲げられた状態にして、ベルトの一端をバックルに通して輪にし、頭の上からのせ、吸着体を額に密着させ、襟足の髪をかきあげ、襟足の所でベルトを引張り装着する。【００１８】  ベルトを輪にして頭にのせるとき、耳たぶの先端を耳カバーに挿通されているゴム組とターバンの間に挿し込み、洗髪用補助具が頭に装着されたら耳カバー全体を外側に折曲げて耳を覆うようにする。
【実施例１】
【００１９】  以下、本考案を図面に基づいて説明する。
図１は、本考案の洗髪用補助具の使用状態を示す斜視図である。透明なフード２が顔のほぼ全体を覆っていて水が顔にかからないようになっている。ターバン１はフード２の下にかくれている。頭髪６は襟足のところまでかき上げてフード２の上になるようにしている。耳たぶの先端はターバン１と耳カバー６の一辺に挿通されたゴム組７との間に挿込まれ、さらに折曲げられた耳カバー６で覆われている。【００２０】  図２は洗髪用補助具を装着するとき、ターバン１と耳カバー６の一辺に挿通されたゴム組７との間に耳たぶ１２を挿し込んだ状態を示す斜視図である。この状態から耳カバー６を下に折曲げて耳たぶ１２を覆うようにする。【００２１】  図３は、本考案の洗髪用補助具の吸着体３が上にくるようにターバン１とフード２の間を折曲げた状態を示す平面図である。この状態で吸着体３が額にあたるようにし、ベルト４を頭の後ろにまわし、ベルト４の両端をバックル５で締めることで、洗髪用補助具が洗髪中、下にずれないようにし、また水が顔にかからないようにしている。【００２２】  なお、耳カバー６，６の一辺に挿通されているゴム組７，７は、両端１１，１１…でそれぞれターバン１の側面に連結されている。
ゴム組７，７とターバン１の間に耳たぶの先端を挿し込むことができ、耳たぶを挿し込んだ後は耳カバー６，６を折曲げて耳たぶを覆うようにする。【００２３】  図４は、本考案の洗髪用補助具において、図２で折曲げたフード２を開いたときの状態を示す平面図である。耳カバー６，６はフード２の下になるので図４では省略した。襟足の結合部分は、締めて止めるため平面ファスナー雄９を付け、ベルト４にも平面ファスナー雌１０を付け、片側のバックル５にベルト４を通し輪にして折り返して、平面ファスナー９に止める。ただし、平面ファスナーの雄雌はこの反対でもよい。
【図面の簡単な説明】
【００２４】
【図１】洗髪用補助具の使用状態を示す斜視図である。
【図２】洗髪用補助具の耳カバーを持ち上げた状態を示す斜視図である。
【図３】洗髪用補助具のターバン１とフード２を折曲げたときの状態を示す平面図である。
【図４】洗髪用補助具のターバン１とフード２を展開したときの状態を示す平面図である。
【符号の説明】
【００２５】１  ターバン
２  フード
３  吸着体
４  ベルト
５  バックル
６  耳カバー
７  ゴム組
８  頭髪
９  平面ファスナー  雄
１０  平面ファスナー  雌
１１  ゴム組連結箇所
１２  耳たぶ
【図１】
0003118539.tif 000003
【図２】
0003118539.tif 000004
【図３】
0003118539.tif 000005
【図４】
0003118539.tif 000006